(57)【要約】【課題】首筋用の日除けを、必要に応じて、簡単に、本体の外側に収納させるとともに、首筋用の日除けの紫外線遮蔽効果を高めた日除けキャップを提供する。【解決手段】本体2、つば4及び首筋を保護する日除け10を備えた日除けキャップ1。日除け10にはチタンコーティングした生地が用いられており、この上方縁部14側を、本体2と一体となるように取り付けられる。非使用時には、日除け10は、上下方向に折り畳まれて、本体2の後方の収納部20内に収納される。【選択図】図３
0003120913.tif 000002
【実用新案登録請求の範囲】
【請求項１】
頭部を保護する本体と、該本体の前方に取り付けられて、日差しから顔面を保護するつばと、前記本体の後方に取り付けられて、日差しから首筋を保護する日除けを備えた日除けキャップであって、前記本体の後方の外側に収納部を設け、前記日除けは、チタンコーティングした生地が使用され、かつ、上方縁部側から前記本体と一体となるように取り付けられており、使用時には、下方に垂設されて、首筋を紫外線から保護し、非使用時には、上下方向に折り畳まれて、前記収納部内に全体が収納されることを特徴とする日除けキャップ。
【請求項２】
前記収納部の開閉手段としてファスナーを備えたことを特徴とする請求項１記載の日除けキャップ。
【考案の詳細な説明】
【技術分野】
【０００１】
本考案は、防暑帽子に関し、特に、紫外線から首筋を保護する日除けキャップに関する。
【背景技術】
【０００２】
猛暑のスポーツ観戦、酷暑地への旅行や、炎天下での農作業等のように、強い日差しを受ける場合には、防暑用に、つばのある帽子が利用されている。特に、紫外線は、シミ、ソバカスや日焼けを引き起こすだけではなく、老化を促進させ、さらにはガンの発生を招くと言われるため、この対策が重要になる。しかしながら、単につばのある帽子を着用するだけでは、顔面や頭部を紫外線から保護できても、首筋が紫外線に露出されたままになるという問題があった。そこで、紫外線から首筋を保護できるように、首筋用の日除けを備えた防暑帽子が用いられることがある。但し、首筋用の日除けを備えた防暑帽子には、顔面や頭部だけでなく、首筋も保護するため、サイズが大きくなり、かさばるという短所があった。また、紫外線量は、時間、天候、さらに周囲の環境等によって変化するので、常時、首筋用の日除けを帽子に取り付けることは、わずらわしいという短所があった。そこで、例えば、特許文献１、２に開示された発明では、必要に応じて、帽子の本体内に首筋用の日除けを収納できるようにしている。しかしながら、これら従来の防暑帽子では、本体の内側に首筋用の日除けを収納させる点と、首筋用の日除けの紫外線遮蔽効果を高める点の２つにおいて、課題を残していた。
【０００３】
即ち、特許文献１、２に開示された発明のように、本体の内側に首筋用の日除けを収納させる場合、日除けが利用者の頭部と接することから、不都合を生じさせることがあった。例えば、特許文献１に開示された発明のように、本体の内側に日除けを折り返して収納する場合、折り返された日除けに位置ずれ等が生じると、このずれが頭部と接することから、利用者が違和感を感じるおそれがあった。また、特許文献２に開示された発明のように、本体の内側に日除けを収納する際、日除けが直接的に頭部と接する場合には、ワックス、ムース、ジェル等のスタイリング剤によって日除けが汚されるおそれがあった。また、特許文献１、２に開示された発明のように、本体の内側に日除けを収納する場合、本体の内部のスペースを狭めるため、結果的に帽子のサイズを狭めることになっていた。この場合、収納された日除けの厚さが厚いと、利用者が違和感を感じるおそれがあった。また、特許文献２に開示された発明のように、軸部を用いて日除けを帽子の本体の内側に回転自在に取り付ける場合には、この軸部が頭部と接することから、利用者が違和感を感じるおそれがあった。
【０００４】
さらに、強い紫外線を十分に遮蔽するためには、単に帽子に首筋用の日除けを取り付けるだけでなく、この日除けの紫外線遮蔽性を高めることが必要になるが、特許文献１、２に開示された発明では、その対策が十分ではなかった。特に、特許文献１に開示された発明は、従来と同様の素材から首筋用の日除けを形成しているに過ぎず、この日除けの紫外線の遮蔽効果を高める手段について何ら開示していなかった。また、特許文献２に開示された発明は、吸水繊維等の、水を浸透保水させ、気化熱を利用して保冷する保冷材料を首筋用の日除けに組み込むことで、使用時には人の後頭部と首筋を冷感させるようにしている。しかしながら、この場合、使用する度に、首筋用の日除けに水を浸透保水させる手間が必要とされていた。このため、状況によっては、迅速に首筋用の日除けを利用できない場合が懸念された。また、特許文献２に開示された発明は、保冷材料を用いて、首筋を冷感させる効果については開示していても、強い紫外線を遮蔽する効果について十分に開示していなかった。
【特許文献１】実開平２−５１２１１号公報
【特許文献２】特開２００１−１４６６２１号公報
【考案の開示】
【考案が解決しようとする課題】
【０００５】
本考案は、以上の点に鑑みてなされたものであり、首筋用の日除けを、必要に応じて、簡単に、本体の外側に収納させるとともに、首筋用の日除けの紫外線遮蔽効果を高めた日除けキャップを提供することを目的とするものである。
【課題を解決するための手段】
【０００６】
本考案は、上記課題を解決するための手段として、請求項１に記載した日除けキャップにおいては、頭部を保護する本体と、該本体の前方に取り付けられて、日差しから顔面を保護するつばと、前記本体の後方に取り付けられて、日差しから首筋を保護する日除けを備えた日除けキャップであって、前記本体の後方の外側に収納部を設け、前記日除けは、チタンコーティングした生地が使用され、かつ、上方縁部側から前記本体と一体となるように取り付けられており、使用時には、下方に垂設されて、首筋を紫外線から保護し、非使用時には、上下方向に折り畳まれて、前記収納部内に全体が収納されることを特徴とする。
【０００７】
また、請求項２に記載した日除けキャップにおいては、請求項１に記載されたものにおいて、前記収納部の開閉手段としてファスナーを備えたことを特徴とする。
【考案の効果】
【０００８】
本考案は以上説明したように構成された日除けキャップであるから、首筋用の日除けを、必要に応じて、簡単に、本体の外側に収納させることにより、本体の内側に首筋用の日除けを収納させる場合に生じていた様々な問題点を取り除くことができる。さらに、チタンコーティングした生地を用いるように、首筋用の日除けを形成することによって、首筋用の日除けの紫外線遮蔽効果を格段に高めることができる。このため、紫外線量の広い幅で、使い勝手が良好なように、日除けキャップを提供できる。さらに、収納部の開閉手段としてファスナーを備えたことにより、収納部の開閉が容易になる。
【考案を実施するための最良の形態】
【０００９】
以下、添付した図を参照して、本考案に係る好適な実施形態について説明する。図１には、本考案に係る防暑帽子１の前方斜視図、側面図及び背面図を、夫々、（Ａ）、（Ｂ）及び（Ｃ）に分けて示している。具体的には、日除けキャップ１であって、特に猛暑のスポーツ観戦、酷暑地への旅行や、炎天下での農作業等に、強い日差しを防ぐために用いられる。日除けキャップ１の本体（クラウン）２は、通常のキャップのものと同様に形成されている。本体２の前方側には、つば又はひさし４が備えられており、利用者の顔面を日差しから保護できるようにしている。さらに、つば４と反対側の本体２の後方側には、首筋用の日除け（以下、日除けと記載する）１０が備えられており、利用者の首筋を日差しから保護できるようにしている。本体２、つば４及び日除け１０の大きさは様々に変えることができ、適当な大きさの日除けキャップ１が利用者により選択されることで、利用者の頭部、顔面及び首筋を紫外線から効果的に保護できるようにしている。
【００１０】
本考案では、本体２及びつば４は、従来技術のキャップと同様に、適当な大きさに裁断された布状の素材を縫い付けることで形成される。この際、例えば、適当な数のステッチ６を設けるなどして、本体２及びつば４の形崩れを防ぎ、耐久性をもたせるようにしている。一般に、本体２は、複数枚の布（レンゲ）８を縫い付けるように形成されており、用いられるレンゲ８には、六方と八方の２種類があるが、図示した実施形態では、六方のレンゲ８を縫い付けるように形成されている。但し、本体２及びつば４のデザインは図示したものに限定される必要はない。本体２の後方側には、日除け１０が取り付けられるが、日除け１０は、略長方形状の本体１２を有し、この上方縁部１４を本体２の外側に一体に取り付けており、自重によって下方に垂れ下がって、利用者の首筋を覆うようにしている。図示した実施形態では、日除け１０の下方縁部１６の角を丸めているが、他、本体１２の形状を様々に形成することは可能である。但し、日除け１０は、日除けキャップ１と一体となるように縫い付けられる。このため、日除けキャップ１の利用時に、例えば、強風が吹いたり、利用者が激しい運動を行っても、日除けキャップ１から日除け１０が外れることがないようにしている。また、日除けキャップ１に対して日除け１０を一体に取り付けることで、日除けキャップ１とは別に、日除け１０が紛失することがないようにしている。
【００１１】
以上のように構成されることで、本考案の日除けキャップ１は、利用者の頭部、顔面、及び首筋を紫外線から保護することができる。但し、太陽から降り注ぐ紫外線量は一定ではなく、時間、天候、さらに周囲の環境等によって変化するので、常時、紫外線から利用者の首筋を保護するように、日除けキャップ１に日除け１０を取り付けることは好ましくない。むしろ、紫外線量の変化に則するように、必要に応じて、日除けキャップ１に日除け１０を取り付けて、利用者の首筋を紫外線から保護するのが好ましい。そこで、本考案では、日除けキャップ１に対して一体に取り付けられた日除け１０を、必要に応じて、簡単に、日除けキャップ１に収納できるようにしている。
【００１２】
一般に、従来技術では、特許文献１、２に開示された発明のように、首筋用の日除けを帽子の本体の内側に収納させていたが、この場合、背景技術で説明したように、様々な問題を生じさせることが懸念された。これに対して、本考案では、このような問題が生じることを防ぐように、首筋用の日除け１０を本体２の外側に収納させる。図２には、日除け１０を収納した状態の日除けキャップ１の前方斜視図、側面図及び背面図を、夫々、（Ａ）、（Ｂ）及び（Ｃ）に分けて示している。図２から理解できるように、日除け１０の収納状態では、日除けキャップ１は、従来のキャップと同様の外観を有し、利用者の首筋を周囲に露出させる。本考案では、図１に示した、利用者の頭部、顔面、及び首筋を日差しから保護する日除けキャップ１の状態と、図２に示した、利用者の頭部及び顔面を日差しから保護する日除けキャップ１の状態を、簡単に切り替えられるようにしている。
【００１３】
図３（Ａ）は、図１（Ｂ）に示した日除けキャップ１のうち、日除け１０の取り付け側を一部断面で示している。また、図３（Ｂ）は、図２（Ｂ）に示した日除けキャップ１のうち、日除け１０の収納側を一部断面で示している。これら図から理解できるように、本体２の後方側には、この外面に沿って、さらなる布１８が縫い付けられている。この布１８は、日除け１０用の収納部２０を形成し、本体２の外面に沿って、日除け１０の幅より若干大きいように、横方向に延びている。この布１８は、略長方形状を有し、この四辺を本体２の外面上に縫い付けている。さらに、布１８の外面には、横方向に延びるようにスリット２２が設けられている。このため、図３（Ａ）に示すように、本体２の外面と、この上に取り付けられる布１８の内面の間には、日除け１０収納用のスペースＳが形成される。日除け１０は、上方縁部１４側を上記収納部内２０で、本体２と一体となるように縫い付けられており、使用時には、自重によって下方に垂れ下がる。また、図３（Ｂ）に示すように、日除け１０は、非使用時には、帽子の本体２の後方にはつば４がないため、邪魔されることなく、上記スリット２２を介して収納部２０内に本体１２の全体を没入される。
【００１４】
図４（Ａ）〜（Ｃ）に示すように、収納部２０内に日除け１０を収納する際、日除け１０は、上下方向に沿って、つまり、この下方縁部１６から上方縁部１４に向って、単一方向に、折り畳まれる。この折り畳み方は任意であって、例えば、図４（Ｂ）に示すように、下方に垂設された日除け１０を、外側に向って巻き回してもよく、または、この逆に、内側に向って巻き回してもよい。さらに、上下方向に延びる日除け１０を、この略中央から折り畳んだ後、段階的に、この上下方向の長さを狭めていくように折り畳んでもよい。いずれにしても、収納部２０内に日除け１０を収納する際、日除け１０の幅を狭めるように、横方向に折り畳む必要はない。このため、折り畳み方が単純化されるとともに、折り畳まれた日除け１０の厚さが厚くなり過ぎないようにしている。このように、使用状態（図１参照）から非使用状態（図２参照）まで、日除けキャップ１を変化させるように、日除け１０を折り畳む操作は、非常に簡単に行うことができる。
【００１５】
さらに、図示した実施形態では、収納部２０の開閉手段としてファスナー２４を備えている。即ち、スリット２２の縁部にはファスナー（スライドファスナー又はジッパー）２４が備えられており、このファスナー２４を係止させることで、スリット２２を閉じるようにしている。具体的には、スリット２２の縁部に金属又は樹脂製の小さな務歯を複数個備えており、これら一つ一つを順にかみ合わせることで、スリット２２を閉鎖させている。従って、図４（Ａ）〜（Ｃ）に示したように、日除け１０を折り畳んで、スリット２２を介して、収納部２０内に日除け１０の本体１２を没入させた後、ファスナー２４を係止させることで、外部環境から遮蔽するように、収納部２０内に日除け１０を収納することができる。このため、非使用時には、日除け１０を塵、埃等の外部環境から保護できる。また、ファスナー２４を利用することで、スリット２２を閉鎖する操作は、非常に簡単に行うことができる。尚、図示した実施形態では、スリット２２は、収納部２０を構成する布１８の略中央に、横方向に延びるように備えられているが、この位置は、図示したものに限定される必要はない。例えば、スリット２２は、収納部２０を構成する布１８の下方に、横方向に延びるように備えられていてもよい。さらに、図示した実施形態では、スリット２２を閉鎖させるため、ファスナー２４を用いているが、他、収納部２０の開閉手段として、ボタンや面ファスナー等を用いることは可能である。また、収納部２０を構成する布１８は、任意の素材から形成することができる。例えば、雨等から収納部２０内の日除け１０を保護できるように、防水加工された布１８から収納部２０を形成してもよい。
【００１６】
このように、本考案では、日除けキャップ１に日除け１０を収納させるとき、本体２の外側に日除け１０を収納させるので、収納された日除け１０が利用者の頭部と接しないため、利用者が違和感を感じないようにしている。特に、収納時に、日除け１０は直接的に利用者の頭部と接しないため、スタイリング剤等によって日除け１０が汚されることがないようにしている。また、日除け１０を本体２の外側に収納することで、本体２の内側のスペースを狭めることがなく、日除けキャップ１のサイズを一定のまま保つことができる。また、収納部２０は本体２の外側に取り付けられるので、収納部２０内に日除け１０を収納するために、ファスナー２４等の当りの硬い金属部材を使用しても、頭部と接することがないから、利用者が違和感を感じないようにしている。従って、背景技術で説明したように、本体２の内側に日除け１０を収納する場合には、様々な問題点があったが、本考案では、本体２の外側に日除け１０を収納することで、このような問題点を生じさせないようにしている。
【００１７】
以上のように構成されることで、本考案では、必要に応じて、図１に示したように、利用者の頭部、顔面、及び首筋を日差しから保護したり、又は、図２に示したように、利用者の頭部及び顔面を日差しから保護するように、日除けキャップ１の利用形態を簡単に切り替えることができる。さらに、本考案では、強い紫外線量からも効果的に首筋を保護できるようにしている。即ち、一般に、キャップの素材は、ニットやメッシュ等から選ばれている。しかしながら、これら素材では、紫外線の遮蔽効果が必ずしも十分ではなかった。これに対して、本考案では、強い紫外線に対しても十分な遮蔽効果を提供できる素材から日除け１０を形成している。具体的には、本考案では、日除け１０を形成する際、チタンコーティングした生地を使用することで、紫外線遮蔽性を高めるようにしている。即ち、チタン及び／又はチタン合金には紫外線遮蔽効果があるため、日除け１０の表面にチタンコーティングした生地を使用することにより、日除け１０の紫外線遮蔽効果を高めるようにする。具体例の一つでは、日除け１０を形成する際、ポリエステルをベースにして、これに対しチタンコーティングを行う。この場合、紫外線を吸収する効果を有しているポリエステルを日除け１０の生地として選択して、この生地に対してチタンコーティングを行うことで、日除け１０の紫外線遮蔽効果を高めることができる。例えば、本考案では、スパッタリングクロス加工によって、チタンのイオン分子をポリエステルの繊維に衝突させて、チタンを繊維として利用できるように、日除け１０に対してチタンコーティングを行う。但し、日除け１０を形成する際、ポリエステル以外の生地に対してチタンコーティングを行うことは可能である。
【００１８】
このように、日除け１０にチタンコーティングを行うことで、例えば、特許文献１、２に開示された発明と比べて、本考案は、日除け１０の紫外線遮蔽性を格段に高めている。また、例えば、特許文献２に開示された発明と比べて、使用前に日除け１０に水を浸透保水させるような手間を不要としたため、使用勝手を格段に高めている。尚、チタンは、金属素材の中で、比較的、比重が小さく、強度が強いため、軽くて強いものを作るのに適している。このため、日除け１０に対してチタンコーティングを行っても、日除け１０の重量を増大させ利用勝手を損うことがない。また、チタンは、熱伝導率が小さくて、耐熱性が高く、さらに放熱性に優れるという長所がある。さらに、チタンは、耐食性にも優れるという長所がある。これら特徴から、本考案における日除け１０は、従来のものと比べて格段に優れたものとなっている。尚、チタンコーティングは、日除けだけ１０でなく、本体２及び／又はつば４に対しても適用してもよい。従って、本考案の日除けキャップ１は、紫外線量が大きい場合でも、利用者の頭部、顔面、及び首筋を強い紫外線から効果的に保護することができる。
【００１９】
以上のように構成されることで、本考案では、日除け１０を、必要に応じて、簡単に、本体２の外側に収納させるとともに、日除け１０の紫外線遮蔽効果を高めたため、紫外線量の広い幅で、使い勝手が良好なように、日除けキャップ１を提供する。尚、帽子の種類は多岐にわたるが、本考案における日除けキャップ１は、本体２の前側につば４を備えるタイプの全てを含み、この形状のさらなる詳細によって本考案の範囲が限定されることはない。
【図面の簡単な説明】
【００２０】
【図１】日除けを取り付けた日除けキャップの、前方斜視図、側面図及び断面図を、夫々、（Ａ）、（Ｂ）及び（Ｃ）に分けて示す図である。
【図２】日除けを取り外した日除けキャップの、前方斜視図、側面図及び断面図を、夫々、（Ａ）、（Ｂ）及び（Ｃ）に分けて示す図である。
【図３】図１（Ｂ）の日除けキャップのうち、日除けの取り付け側の一部を断面で示す図と、図２（Ｂ）の日除けキャップのうち、日除けの収納側の一部を断面で示す図を、夫々、（Ａ）及（Ｂ）に分けて示す図である。
【図４】日除けキャップに取り付けられた日除けを折り畳んで、収納部内に収納する操作を、（Ａ）、（Ｂ）及び（Ｃ）に段階的に分けて示した図である。
【符号の説明】
【００２１】
１            日除けキャップ
２            本体
４            つば
１０          首筋用の日除け
２０          収納部
２２          スリット
２４          ファスナー
【図１】
0003120913.tif 000003
【図２】
0003120913.tif 000004
【図３】
0003120913.tif 000005
【図４】
0003120913.tif 000006